(57)【特許請求の範囲】
【請求項１】
画面上に表示された電子コンテンツの任意の部分に貼り付けオブジェクトを付して表示することができる電子コンテンツ表示システムであって、
第１閲覧者が参照するために電子コンテンツを表示する手段と、
表示された前記電子コンテンツ中の第１閲覧者が指定した箇所に紐付けて、前記第１閲覧者が入力した貼り付けオブジェクトを貼り付ける手段と、
第２閲覧者が参照するために前記電子コンテンツを表示する手段と、
表示された前記電子コンテンツ中の第２閲覧者が指定した箇所に紐付けて、前記第２閲覧者が入力した貼り付けオブジェクトを貼り付ける手段と、
前記第２閲覧者が指定した箇所が前記第１閲覧者が指定した箇所と重なっていた場合、前記第２閲覧者用に表示された電子コンテンツ上に、前記第１閲覧者が貼り付けた貼り付けオブジェクトを表示する手段と
を備えることを特徴とする電子コンテンツ表示システム。
【請求項２】
請求項１に記載の電子コンテンツ表示システムにおいて、
前記電子コンテンツに貼り付けオブジェクトを貼り付けようとする閲覧者の指示に応じて、表示されている電子コンテンツ中の指定した箇所に紐付けて閲覧者が入力した貼り付けオブジェクトを貼り付ける際、該貼り付けオブジェクトに関して閲覧者が入力した絞込み条件を、前記貼り付けオブジェクトに対応させて、格納する記憶手段と、
前記電子コンテンツを参照する閲覧者が、表示されている電子コンテンツに対して入力した絞込み検索条件を受け付ける手段と、
受け付けた絞込み検索条件に合致する絞込み条件を持つ貼り付けオブジェクトを、前記記憶手段から検索する手段と、
検索された貼り付けオブジェクトを、前記絞込み検索条件を入力した閲覧者が参照するために表示されている電子コンテンツ上に、表示する手段と
を備えることを特徴とする電子コンテンツ表示システム。
【請求項３】
請求項２に記載の電子コンテンツ表示システムにおいて、
前記絞込み条件は、前記貼り付けオブジェクトに関する評価情報を含み、
前記貼り付けオブジェクトを参照した任意の閲覧者がその貼り付けオブジェクトに関して入力した評価情報を受付け、絞込み条件の１つとして前記記憶手段に格納するものとし、
前記貼り付けオブジェクトの検索の際には、前記絞込み検索条件として入力された前記評価情報に関する条件に合致する貼り付けオブジェクトを、検索結果として前記電子コンテンツ上に表示する
ことを特徴とする電子コンテンツ表示システム。
【請求項４】
請求項２または３に記載の電子コンテンツ表示システムにおいて、
前記絞込み検索条件に合致するとして検索された貼り付けオブジェクトの数が所定数以上の場合は、それら検索された貼り付けオブジェクトの全てを前記電子コンテンツ上に表示する代わりに、それら検索された貼り付けオブジェクトの一覧を表示することを特徴とする電子コンテンツ表示システム。
【請求項５】
請求項１から４の何れか１つに記載の電子コンテンツ表示システムにおいて、
前記電子コンテンツ上に複数の貼り付けオブジェクトを表示する際、それらの貼り付けオブジェクトが貼り付けられた各部分が重なる場合には、それらの各部分をそれぞれ特定する表示要素を色分けしずらして表示するとともに、各貼り付けオブジェクトは、対応する表示要素の色を付して表示することを特徴とする電子コンテンツ表示システム。
【発明の詳細な説明】
【技術分野】
【０００１】
本発明は、複数のユーザによって共有されている電子コンテンツ上にオブジェクトを貼り付けて情報を共有する技術に関するものである。
【背景技術】
【０００２】
ネットワーク技術や端末装置の高機能化・高性能化にともない、電子コンテンツを、ネットワークを介して複数のメンバーで共有し、情報の共有をすることが広く行われるようになった。最近では、電子コンテンツの任意の部分に付箋（メモ）をつける技術や、電子コンテンツへのコメント（書評）をサーバに記憶する技術も知られており、より高度に電子コンテンツを中心とした情報共有を行えるようになってきている。なお、前者の技術（電子コンテンツの任意の部分に付箋をつける技術）に関連する公知文献としては下記の特許文献１が、後者の技術（電子コンテンツへのコメントをサーバに記憶する技術）に関連する公知文献としては下記の特許文献２がある。
【先行技術文献】
【特許文献】
【０００３】
【特許文献１】特開２００１−１４３０３
【特許文献２】特開２００２−９９７３９
【発明の概要】
【発明が解決しようとする課題】
【０００４】
電子コンテンツに付箋やコメントをはじめとするオブジェクトを貼り付けられるのは便利であるが、オブジェクトの数が多い場合、必要なオブジェクトが他のオブジェクトに隠れてしまって見逃したり、必要なオブジェクトを探すのに多くの時間を費やされてしまうことも少なくない。人によっては、あまりに多いオブジェクトの数に嫌気がさし、見たくなくなる可能性もある。上述した特許文献に記載の技術でも同様の問題がある。
【０００５】
本発明の目的は、閲覧者が希望に合ったオブジェクトを選択して表示することができるようにし、閲覧者にとって必要な情報のみを表示するための技術を提供することにある。
【課題を解決するための手段】
【０００６】
上記目的を達成するため、請求項１に係る発明は、画面上に表示された電子コンテンツの任意の部分に貼り付けオブジェクトを付して表示することができる電子コンテンツ表示システムであって、第１閲覧者が参照するために電子コンテンツを表示する手段と、表示された前記電子コンテンツ中の第１閲覧者が指定した箇所に紐付けて、前記第１閲覧者が入力した貼り付けオブジェクトを貼り付ける手段と、第２閲覧者が参照するために前記電子コンテンツを表示する手段と、表示された前記電子コンテンツ中の第２閲覧者が指定した箇所に紐付けて、前記第２閲覧者が入力した貼り付けオブジェクトを貼り付ける手段と、前記第２閲覧者が指定した箇所が前記第１閲覧者が指定した箇所と重なっていた場合、前記第２閲覧者用に表示された電子コンテンツ上に、前記第１閲覧者が貼り付けた貼り付けオブジェクトを表示する手段とを備えることを特徴とする。
【０００７】
請求項２に係る発明は、請求項１に記載の電子コンテンツ表示システムにおいて、前記電子コンテンツに貼り付けオブジェクトを貼り付けようとする閲覧者の指示に応じて、表示されている電子コンテンツ中の指定した箇所に紐付けて閲覧者が入力した貼り付けオブジェクトを貼り付ける際、該貼り付けオブジェクトに関して閲覧者が入力した絞込み条件を、前記貼り付けオブジェクトに対応させて、格納する記憶手段と、前記電子コンテンツを参照する閲覧者が、表示されている電子コンテンツに対して入力した絞込み検索条件を受け付ける手段と、受け付けた絞込み検索条件に合致する絞込み条件を持つ貼り付けオブジェクトを、前記記憶手段から検索する手段と、検索された貼り付けオブジェクトを、前記絞込み検索条件を入力した閲覧者が参照するために表示されている電子コンテンツ上に、表示する手段とを備えることを特徴とする。
【０００８】
請求項３に係る発明は、請求項２に記載の電子コンテンツ表示システムにおいて、前記絞込み条件は、前記貼り付けオブジェクトに関する評価情報を含み、前記貼り付けオブジェクトを参照した任意の閲覧者がその貼り付けオブジェクトに関して入力した評価情報を受付け、絞込み条件の１つとして前記記憶手段に格納するものとし、前記貼り付けオブジェクトの検索の際には、前記絞込み検索条件として入力された前記評価情報に関する条件に合致する貼り付けオブジェクトを、検索結果として前記電子コンテンツ上に表示することを特徴とする。
【０００９】
請求項４に係る発明は、請求項２または３に記載の電子コンテンツ表示システムにおいて、前記絞込み検索条件に合致するとして検索された貼り付けオブジェクトの数が所定数以上の場合は、それら検索された貼り付けオブジェクトの全てを前記電子コンテンツ上に表示する代わりに、それら検索された貼り付けオブジェクトの一覧を表示することを特徴とする。
【００１０】
請求項５に係る発明は、請求項１から４の何れか１つに記載の電子コンテンツ表示システムにおいて、前記電子コンテンツ上に複数の貼り付けオブジェクトを表示する際、それらの貼り付けオブジェクトが貼り付けられた各部分が重なる場合には、それらの各部分をそれぞれ特定する表示要素を色分けしずらして表示するとともに、各貼り付けオブジェクトは、対応する表示要素の色を付して表示することを特徴とする。
【発明の効果】
【００１１】
本発明によれば、自分が貼り付けオブジェクトを貼り付けた位置に他人が貼り付けたオブジェクトが重なっていた場合にそれを表示することで、自分が関心のある内容についての貼り付けオブジェクトを参照することができる。また、電子コンテンツ上に多数のオブジェクトが貼り付けられている場合でも、閲覧者は、絞込み検索条件を入力し、該絞込み検索条件に合致する貼り付けオブジェクトのみを表示させることができるので、自分の必要な条件に合わせてオブジェクトの表示数を制限することができ、必要な情報のみを収集することができるようになる。評価情報を利用することで、閲覧者は評価をもとに貼り付けオブジェクトを絞り込んで表示することができる。絞込み検索の条件に一致する貼り付けオブジェクトが複数重なっても、一覧表示したり、色分けしてずらして表示することで、必要な貼り付けオブジェクトを見落とさずに済む。
【図面の簡単な説明】
【００１２】
【図１】本発明の一実施の形態例を示すシステム構成図である。
【図２】閲覧者端末のシステム構成図である。
【図３】閲覧者が作成し電子コンテンツに貼り付けたオブジェクトを絞込み条件と共に保存管理する貼り付けオブジェクトデータベースのテーブル構成図である。
【図４Ａ】絞込み条件の情報を設定した貼り付けオブジェクトを作成する動作における初期画面である。
【図４Ｂ】絞込み条件の情報を設定した貼り付けオブジェクトを作成する動作における、貼り付けオブジェクトの紐づく位置を設定する画面である。
【図４Ｃ】絞込み条件の情報を設定した貼り付けオブジェクトを作成する動作における、貼り付けオブジェクトを作成する画面である。
【図４Ｄ】絞込み条件の情報を設定した貼り付けオブジェクトを作成する動作における、貼り付けオブジェクトの絞込み条件を設定する画面である。
【図４Ｅ】絞込み条件の詳細図である。
【図４Ｆ】絞込み条件の情報を設定した貼り付けオブジェクトを作成する動作における、貼り付けオブジェクトの設定内容をホストシステムに送信する操作を行う画面である。
【図５】閲覧者端末で作成した貼り付けオブジェクトをホストシステムに送信するフレームデータの構成図である。
【図６】貼り付けオブジェクトが追加され、貼り付けオブジェクトデータベースに登録される状態を示すテーブル構成図である。
【図７Ａ】電子コンテンツに貼り付けられた貼り付けオブジェクトを絞り込んで表示する動作における、絞込み検索の条件を設定する画面である。
【図７Ｂ】絞込み検索条件の詳細図である。
【図８】閲覧者端末で作成した絞込み検索の条件をホストシステムに送信するフレームデータの構成図である。
【図９】絞込み検索の条件をもとに、貼り付けオブジェクトデータベースの該当するレコードから情報を取り出す状態を示す図である。
【図１０】貼り付けオブジェクトの情報をホストシステムから閲覧者端末に送信するフレームデータの構成図である。
【図１１】絞込み条件に一致した貼り付けオブジェクトを表示した画面である。
【図１２Ａ】閲覧者が貼り付けオブジェクトを作成した時のみ、他の貼り付けオブジェクトが閲覧できる仕組みの説明図（その１）である。
【図１２Ｂ】閲覧者が貼り付けオブジェクトを作成した時のみ、他の貼り付けオブジェクトが閲覧できる仕組みの説明図（その２）である。
【図１３】貼り付けオブジェクトに評価を設定する機能を追加したシステムの構成図である。
【図１４】貼り付けオブジェクトに評価を設定する機能を追加した場合の貼り付けオブジェクトデータベースのテーブル構成図である。
【図１５】貼り付けオブジェクトへの評価の設定画面である。
【図１６】貼り付けオブジェクトへの評価の情報を閲覧者端末からホストシステムに送信するフレームデータの構成図である。
【図１７】貼り付けオブジェクトデータベースの評価情報を更新する様子を示す図である。
【図１８】貼り付けオブジェクトを一覧画面で表示する画面である。
【図１９】重なった貼り付けオブジェクトを効果的に表示する画面の一例を示す図である。
【図２０】貼り付けオブジェクトの重なりを検出するために使用する、記憶装置内に作成されるテーブルの構成図である。
【発明を実施するための形態】
【００１３】
以下、本発明を適用した、電子コンテンツ上に貼り付けたオブジェクトを絞り込んで表示するシステムの一実施の形態について説明する。なお、本明細書で述べている、電子コンテンツ上に貼り付けるオブジェクトとは、メモ文章、画像、表、グラフ、リンク情報、音声、動画、及び実行ファイルなどを表している。貼り付けオブジェクトとは、貼り付け対象の電子コンテンツの任意の部分に紐付けて（関連付けて）、当該電子コンテンツに付随させた（貼り付けた）上記オブジェクトのことであり、メモ、付箋、あるいは注釈のようなコンテンツのことである。
【００１４】
図１は、本発明の実施の形態の一例を示すシステム構成図である。電子コンテンツ上に貼り付けたオブジェクトを絞り込んで表示する本システムは、貼り付けオブジェクトに関する処理を実施するホストシステム１−１と、電子コンテンツに関する情報を保存管理する電子コンテンツデータベース１−２と、閲覧者が作成し電子コンテンツに貼り付けたオブジェクトを保存管理する貼り付けオブジェクトデータベース１−３と、閲覧者の権限を保存管理する電子コンテンツ閲覧者一覧データベース１−４と、閲覧者が電子コンテンツの閲覧、貼り付けオブジェクトの作成、及び絞込み表示をするための閲覧者端末１−５と、ホストシステム１−１と閲覧者端末１−５との間で電子コンテンツや貼り付けオブジェクトに関する情報を送受信するためのネットワーク１−６とを備える。
【００１５】
閲覧者端末１−５は、例えば、パーソナルコンピュータ、携帯情報端末、携帯電話機、テレビ、携帯ゲーム機、据え置きゲーム機、及び専用端末などである。ホストシステム１−１は、以下に示す３つの処理部を備える。貼り付けオブジェクト登録部１−７は、閲覧者端末１−５から送信された閲覧者からの書き込みオブジェクトを、貼り付けオブジェクトデータベース１−３に、閲覧者により設定された絞込み条件と共に保存する処理を行う。絞込み検索処理部１−８は、閲覧者端末１−５から送信された閲覧者からの絞込み検索条件に従い、貼り付けオブジェクトデータベース１−３から、その検索条件に該当する貼り付けオブジェクトを取り出し、閲覧者端末１−５に送信するためのデータを作成する処理を行う。送受信部１−９を通して、ホストシステム１−１と閲覧者端末１−５との間でのデータの送受信を行う。なお、貼り付けオブジェクト登録部１−７と絞込み検索処理部１−８と送受信部１−９は、ホストシステム１−１で所定のソフトウェアを実行することにより実現されているものである。
【００１６】
図２は、閲覧者端末１−５の構成図である。閲覧者端末１−５は、表示部２−１と、データ処理部２−２と、入力部２−３と、送受信部２−４と、記憶装置２−５とを備える。データ処理部２−２は、以下の３つの処理部を備える。絞込み条件付貼り付けオブジェクト作成部２−２１は、ホストシステム１−１に送信するための、閲覧中の電子コンテンツの特定箇所に紐付いた、絞込み条件の情報を設定した貼り付けオブジェクトを作成する処理を行う。絞込み検索条件設定部２−２２は、ホストシステム１−１に送信するための、貼り付けオブジェクトを絞り込むための絞込み検索の条件を作成する処理を行う。ここで作成された絞込み検索条件の情報をもとに、ホストシステム１−１の絞込み検索処理部１−８が検索処理を行う。貼り付けオブジェクト表示部２−２３は、ホストシステム１−１から送信される絞込み検索処理部１−８での処理結果をもとに、該当する貼り付けオブジェクトを表示部２−１に表示する処理を行う。送受信部２−４は、ホストシステム１−１と閲覧者端末１−５との間でのデータの送受信を行う。なお、絞込み条件付貼り付けオブジェクト作成部２−２１と絞込み検索条件設定部２−２２と貼り付けオブジェクト表示部２−２３は、データ処理部２−２で所定のソフトウェアを実行することにより実現されているものである。
【００１７】
図１の電子コンテンツデータベース１−２は、閲覧者の作成した貼り付けオブジェクトが、どの電子コンテンツと紐付くかを識別できるように、電子コンテンツを一意に識別するための識別番号（電子コンテンツＩＤ）を電子コンテンツに割り振り、管理する。
【００１８】
図１の貼り付けオブジェクトデータベース１−３にて、閲覧者の作成した貼り付けオブジェクトを保存管理する。図３は、貼り付けオブジェクトデータベース１−３のテーブル構成の例である。貼り付けオブジェクトデータベース１−３は、電子コンテンツＩＤ３−１、閲覧者ＩＤ３−２、貼り付けオブジェクトＩＤ３−３、貼り付けオブジェクト種別３−４、貼り付けオブジェクトの内容３−５、貼り付けたページ・行・列等の貼り付けオブジェクト位置情報３−６、作成日時３−７、及び絞込み条件の設定内容３−８の各フィールドを備えるテーブルである。貼り付けオブジェクトＩＤ３−３は、単独もしくは電子コンテンツＩＤ３−１や閲覧者ＩＤ３−２と合わせて、貼り付けオブジェクトを一意に識別するために使用する番号である。電子コンテンツＩＤ３−１は当該貼り付けオブジェクトを貼り付けた電子コンテンツを特定するＩＤ、閲覧者ＩＤ３−２は当該貼り付けオブジェクトを貼り付けた閲覧者を特定する閲覧者ＩＤを示す。貼り付けオブジェクト位置情報３−６は、当該貼り付けオブジェクトを貼り付けた電子コンテンツ内の位置を示す。作成日時３−７は、貼り付けオブジェクトの作成日時である。絞込み条件の設定内容３−８については後述する。
【００１９】
図１の電子コンテンツ閲覧者一覧データベース１−４は、貼り付けオブジェクトの作成者を識別するための識別番号（閲覧者ＩＤ）を管理する。
【００２０】
以下、上記のように構成されたシステムを使用して、絞込み条件の情報を設定した貼り付けオブジェクトを作成する動作を説明する。
【００２１】
図４Ａから図４Ｆは、絞込み条件付貼り付けオブジェクト作成部２−２１にて作成される、閲覧者端末１−５の表示部２−１に表示される内容を表す。以下で説明する図４Ａから図４Ｆの閲覧者端末１−５の動作は、主としてデータ処理部２−２の絞込み条件付貼り付けオブジェクト作成部２−２１が行うものである。
【００２２】
予め閲覧者端末１−５で所定の操作が行われ、図４Ａに示すように、表示部２−１に電子コンテンツ４−１−１の対象となるページが開かれた状態で表示されているものとする。この画面上には、貼り付けオブジェクト作成ボタン４−１−２が表示されている。閲覧者が貼り付けオブジェクト作成ボタン４−１−２を押下すると、図４Ｂのような画面に遷移する。ここで閲覧者は、電子コンテンツのどの部分に貼り付けオブジェクトを紐付けたいか設定する。紐付ける位置としては、文章の一部４−２−１、図表４−２−２、または座標４−２−３などが選択できる。
【００２３】
紐付ける位置を選択すると、図４Ｃのような画面に遷移する。ここでは図４Ｂで文章の一部４−２−１を選択したものとする。図４Ｃでは、貼り付ける内容を入力する画面が表示されている。ここで閲覧者は、貼り付けオブジェクトとして、文字入力欄４−３−１から文章を書き込んだり、ファイル場所指定欄４−３−２から添付するデータ（画像、音声など）を選択することができる。このとき、絞込み条件付貼り付けオブジェクト作成部２−２１は、添付データの拡張子などを見て、貼り付けオブジェクトの種別を決定する。
【００２４】
図４Ｃのような画面で貼り付けオブジェクトの内容を設定し、作成ボタン４−３−３を押下すると、図４Ｄのような画面に遷移する。ここで閲覧者は、貼り付けオブジェクトに設定する絞込み条件を設定する。図４Ｅに、絞込み条件を設定するための子画面４−４１−１の詳細を示す。絞込み条件は、１つ、または複数の設定項目から成り立っており、複数ある場合は、複数の条件を組み合わせて設定することも可能である。絞込み条件は、当該貼り付けオブジェクトの属性情報のようなものである。
【００２５】
絞込み条件としては、例えば、当該貼り付けオブジェクトに関する、「当電子コンテンツの結末に触れているかどうかを示す『ネタばれ有／無』の選択設定」、「当電子コンテンツに対し、肯定的な内容か否定的な内容かを示す『内容の肯定／否定度』の選択設定」、「どのような分野に該当する内容かを示す『カテゴリ』の選択設定」、「内容の方向性（意見の募集、情報の提供、誤記の指摘）を示す『方向性』の選択設定」、「特定のグループでのみ貼り付けオブジェクトを共有できるようにする『グループ』の選択設定」などが設定できる。なお、絞込み条件の選択設定を複数の階層で構成してもよい。図４Ｅでは、上位選択肢４−４２−１を選択すると、下位選択肢４−４２−２に属するもの全てを選択したことにするようになっている。
【００２６】
絞込み条件を設定し、「ＯＫ」ボタン４−４２−３を押下すると、図４Ｆのような画面に遷移し、作成した貼り付けオブジェクトをホストシステム１−１へ送信して他の閲覧者に対して閲覧可能にするか、作成をキャンセルするかを、選択できる。「貼り付けオブジェクトをホストへ送信する」ボタン４−５が選択された場合、絞込み条件付貼り付けオブジェクト作成部２−２１は、上記で設定した情報に基づいて図５のようなフレームデータを作成し、ホストシステム１−１の貼り付けオブジェクト登録部１−７に送信する。
【００２７】
貼り付けオブジェクト登録部１−７では、受信した情報を切り分け、図６のように貼り付けオブジェクトデータベース１−３に登録する。このとき、絞込みの条件に使用できるように、貼り付けオブジェクトの登録日時などの、システムが自動的に作成する情報を合わせて登録しても良い。
【００２８】
次に、上記で構成されたシステムを使用して、電子コンテンツに貼り付けられた貼り付けオブジェクトを絞り込んで表示する動作を説明する。
【００２９】
図７Ａ及び図７Ｂは、絞込み検索条件設定部２−２２にて作成される、閲覧者端末１−５の表示部２−１に表示される内容を表す。以下で説明する図７Ａ及び図７Ｂの閲覧者端末１−５の動作は、主としてデータ処理部２−２の絞込み検索条件設定部２−２２が行うものである。
【００３０】
閲覧者端末１−５で所定の操作を行うことにより、図７Ａに示すように、表示部２−１に電子コンテンツ４−１−１のページが表示されている。また、所定の絞込み検索を指示する操作を行うことにより、検索に使用する絞込み条件を設定する画面が表示される。図７Ｂに、絞込み検索条件を設定する子画面７−１−１の詳細を示す。ここで選択できる絞込み検索条件としては、図４Ｅの絞込み条件の項目に加え、貼り付けオブジェクトを作成した日時７−２−１、貼り付けオブジェクトの作成者７−２−２、及び、貼り付けオブジェクトの種別（メモ文章、画像、音声等）７−２−３のように、貼り付けオブジェクトを作成するときに閲覧者が絞込み条件として設定した以外の項目（これらも、貼り付けオブジェクトの属性情報である）を、絞込み検索条件の選択肢に含めることも可能である。また、貼り付けオブジェクトがメモ文章（文字情報）である場合、文字入力欄７−２−４より当該メモ文章に書かれた文字の一部を絞込み検索条件の選択肢に含めることも可能である。
【００３１】
絞込み検索条件は、複数の項目を組み合わせて指定することができる。複数の項目を組み合わせた場合、各項目の条件はＡＮＤで結ばれたものと解釈する。例えば、図７Ｂで、「ネタばれ」が「有」、「肯定／否定度」が「５」に設定されたとすると、「ネタばれ」が「有」でかつ「肯定／否定度」が「５」である絞込み条件が設定されている貼り付けオブジェクトが表示されることになる。なお、この実施形態では複数の項目をＡＮＤで結んでいるが、ＯＲで結ばれた条件として解釈してもよいし、ＡＮＤ／ＯＲをユーザが選択できるようにしてもよい。
【００３２】
図７Ｂの画面で、絞込み検索条件を設定し「ＯＫ」ボタン７−２−５を押下すると、絞込み検索条件設定部２−２２は、図８のようなフレームデータを作成して、ホストシステム１−１の絞込み検索処理部１−８に送信する。ホストシステム１−１の絞込み検索処理部１−８は、該フレームデータを受信し、受信した情報を元に、貼り付けオブジェクトデータベース１−３を検索し、該当するレコードから情報を取り出す。なお、図８のフレームデータ中、電子コンテンツＩＤには検索対象の電子コンテンツを特定するＩＤ（ここでは図７Ａで表示されている電子コンテンツの電子コンテンツＩＤ）を、閲覧者ＩＤには当該絞込み検索条件を入力した閲覧者の閲覧者ＩＤを、それぞれ設定するものとする。
【００３３】
図９は、貼り付けオブジェクトデータベース１−３から、与えられた絞込み検索条件に該当する情報を取り出す例を示している。なお、図９の下側に絞込み検索条件として「電子コンテンツＩＤ」を含めてあるが、電子コンテンツＩＤは図７Ｂで説明した明示的に閲覧者が入力する絞込み検索条件ではなく、前提となる検索対象の電子コンテンツを特定するための情報である。ここでは広い意味で検索条件に含めることができるので、絞込み検索条件の中に含めた。貼り付けオブジェクトデータベース１−３から取り出した貼り付けオブジェクトの情報をもとに、絞込み検索処理部１−８は、図１０のようなフレームデータを作成して、閲覧者端末１−５の貼り付けオブジェクト表示部２−２３に送信する。
【００３４】
貼り付けオブジェクト表示部２−２３では、受信した情報を元に、図１１のように、絞込み検索条件に一致した貼り付けオブジェクトを表示する。電子コンテンツ１１−１上の文章の一部に紐付けた貼り付けオブジェクト１１−２は、紐付けた位置を特定するための表示要素として当該部分にアンダーライン１１−３を表示し、該アンダーライン１１−３と線１１−４でつないで、貼り付けオブジェクトを表示する。電子コンテンツ１１−１上の図表に紐付けた貼り付けオブジェクト１１−５は、紐付けた図表を特定するための表示要素として当該部分を囲む矩形１１−６を表示し、該矩形１１−６と線１１−７でつないで、貼り付けオブジェクトを表示する。電子コンテンツ１１−１上の特定の座標に紐付けた貼り付けオブジェクト１１−８は、紐付けた座標を特定するための表示要素としてポイント１１−９を表示し、該ポイント１１−９と線１１−１０でつないで、貼り付けオブジェクトを表示する。
【００３５】
次に、本発明の第２の実施形態を説明する。基本的な構成は上記の第１の実施形態と同様であるので、以下では異なる部分のみ説明する。第２の実施形態では、電子コンテンツに貼り付けられた貼り付けオブジェクトを絞り込んで表示する仕組みとして、閲覧者が貼り付けオブジェクトを貼り付けた箇所に紐付けられている貼り付けオブジェクトを表示するようにしている。すなわち、第１の閲覧者が第１の貼り付けオブジェクトを紐付けた箇所に、第２の閲覧者が第２の貼り付けオブジェクトを貼り付けた場合に、第２の閲覧者に対して、第１の閲覧者が貼り付けた第１の貼り付けオブジェクトを表示して、参照可能にする。
【００３６】
図１２Ａは、第２の閲覧者が、文章の一部分１２−１を選択し、ここに紐付けた貼り付けオブジェクト１２−２を作成したところを示す。このとき、図１２Ｂのように、紐付けた箇所１２−１と部分的にでも重なる箇所１２−３に、既に第１の閲覧者により貼り付けられた貼り付けオブジェクト１２−４が紐付けられていたとすると、その貼り付けオブジェクト１２−４が図示したように表示される。
【００３７】
なお、ここでは第１の実施形態に上記特徴を加えたものとして第２の実施形態を説明したが、第２の実施形態は、必ずしも第１の実施形態のように絞込み条件を使用するものを前提とするものではない。単に電子コンテンツに貼り付けオブジェクトを貼り付けられるものにおいて、自分が貼り付けた位置に既に他人が貼り付けたオブジェクトがあった場合に、それを表示するようにすればよい。この特徴点だけでも、自分が関心のある部分の貼り付けオブジェクトのみが表示され、関心が無く貼り付けオブジェクトの貼り付けを行わない部分に貼り付けられている貼り付けオブジェクトは表示されないようにできるので、画面上が煩雑にならないという効果がある。ただし、第１の実施形態のように絞込み条件を使用するものに機能を付加する形で第２の実施形態を構成するのが好ましい。第１の実施形態のように絞込み条件を検索して表示された貼り付けオブジェクトに加えて、第２の実施形態のように構成することで、自分が関心のある内容について他者が貼り付けた貼り付けオブジェクトを見落すことが少なくなるという効果がある。
【００３８】
次に、本発明の第３の実施形態を説明する。基本的な構成は上記の第１の実施形態と同様であるので、以下では異なる部分のみ説明する。第３の実施形態では、第１の実施形態の絞込み条件として貼り付けオブジェクトの評価情報を含むようにし、閲覧者が、他の閲覧者が作成した貼り付けオブジェクトに対し評価を付けられる仕組みとしている。
【００３９】
図１３のように、ホストシステム１−１及び閲覧者端末１−５のデータ処理部２−２それぞれに、評価設定部１３−２と１３−１を設定する。なお、図１３において、図１と同じものには同じ番号を付した。また図１３では図示していないが、図１と同様に、電子コンテンツデータベース１−２、貼り付けオブジェクトデータベース１−３、及び閲覧者一覧データベース１−４を備えているものとする。また、貼り付けオブジェクトデータベース１−３には、図１４のように、「評価情報」項目１４−１が追加されている。
【００４０】
閲覧者が、例えば図１１のように表示されている貼り付けオブジェクトから一つの貼り付けオブジェクトを選択すると、閲覧者端末１−５の評価設定部１３−１は、図１５のような画面を表示する。図１５は、貼り付けオブジェクト１５−３を選択し、評価の設定をする子画面１５−１が表示された様子を示す。閲覧者が、評価の設定をする子画面１５−１より評価を設定し、「ＯＫ」ボタン１５−２を押下すると、評価設定部１３−１は、図１６のようなフレームデータを作成し、ホストシステム１−１の評価設定部１３−２に送信する。このフレームデータ中の評価情報には、上述の子画面１５−１で閲覧者が選択した評価データが設定されている。
【００４１】
評価設定部１３−２は、図１７のように、貼り付けオブジェクトデータベース１−３より該当する貼り付けオブジェクトのレコードを探し、評価情報を更新する。図１７の場合は、「とても良い」の評価が送信されたので、該当するレコードの「とても良い」の評価を１カウントアップして１５から１６にしている。
【００４２】
以上のようにして貼り付けオブジェクトデータベース１−３内に評価情報を格納し、絞込み検索を行う際に該評価情報についての条件を指定できるようにすれば、閲覧者が貼り付けオブジェクトを絞り込む際に、評価の良いものだけを表示する、といった使い方ができるようになる。
【００４３】
上記第１〜第３の実施形態において、貼り付けオブジェクトを絞り込んで表示しても、条件に一致する貼り付けオブジェクトが複数ある場合も考えられる。そのような場合（例えば、検索された貼り付けオブジェクトの数が所定数以上の場合）、貼り付けオブジェクトが重なって見づらくなるときもあるため、一覧画面で貼り付けオブジェクトを表示するインターフェースを用意するとよい。図１８は、表示されている電子コンテンツのページ１８−１に対し、絞込み検索条件を入力して検索された貼り付けオブジェクトの一覧１８−２が表示されている例を示す。貼り付けオブジェクト作成日時や作成者などの昇順、降順に一覧を並び替える機能を持たせても良い。また、第３の実施形態で説明した評価情報を利用することで、評価の順に並べる機能を持たせることも可能である。
【００４４】
また、図１８では絞込み検索条件により検索された貼り付けオブジェクトの一覧を表示しているが、検索すること無しに、現在表示されている電子コンテンツ内に貼り付けられている全ての貼り付けオブジェクトの一覧を表示するようにしてもよい。また、表示された一覧から貼り付けオブジェクトを選択すると、その貼り付けオブジェクトが電子コンテンツ中に表示されるようにするとよい。
【００４５】
さらに、重なった貼り付けオブジェクトを見栄え良く表示するために、一覧画面の他に、図１９のように、貼り付けオブジェクト及び貼り付けオブジェクトを紐付けたアンダーラインやポイント等を色分けし、少しずつずらして表示する方法を用いてもよい。これを実現するためには、貼り付けオブジェクト表示部２−２３が記憶装置２−５に図２０のようなテーブルを作成し、ホストシステム１−１から図１０のフレームデータが返されたとき、該フレームデータの閲覧者ＩＤ１０−２、電子コンテンツＩＤ１０−３、及び貼り付けオブジェクトの位置情報１０−４−１を該テーブルに登録しておく。そして、表示の際には、各貼り付けオブジェクトの紐づく位置に重なりがないか判断し、重なりがあれば、各々の貼り付け位置を示すアンダーラインなどの表示要素にそれぞれ異なる色を付けて表示するとともに、貼り付けオブジェクトにも対応する色を付け、少しずつずらして表示する、という方法で実現する。
【００４６】
さらに、貼り付けオブジェクトを検索して閲覧するのは無料だが、貼り付けオブジェクトを登録するのには料金が発生するようにしたり、絞込み条件の例で説明したグループを閲覧者が作成できるようにし、グループを作成したり、グループに参加するのに料金が発生するようにする、課金の仕組みを設けても良い。
【００４７】
以上のように、本実施の形態のシステムによれば、以下のような効果がある。
（１）電子コンテンツ上に貼り付けオブジェクトが多数貼り付けられていても、閲覧者は嗜好などにより絞込み検索の条件を設定することで、必要とする貼り付けオブジェクトのみを絞り込んで表示することができる。
（２）電子コンテンツ上の貼り付けオブジェクトに評価をつけることで、閲覧者は評価をもとに貼り付けオブジェクトを絞り込んで表示することができる。
（３）絞込み検索の条件に一致する貼り付けオブジェクトが複数重なっても、一覧表示したり、色分けしてずらして表示することで、必要な貼り付けオブジェクトを見落とさずに済む。
【符号の説明】
【００４８】
１−１…ホストシステム、１−２…電子コンテンツデータベース、１−３…貼り付けオブジェクトデータベース、１−４…閲覧者一覧データベース、１−５…閲覧者端末、１−６…ネットワーク、２−１…表示部、２−２…データ処理部、２−２１…絞込み条件付貼り付けオブジェクト作成部、２−２２…絞込み検索条件設定部、２−２３…貼り付けオブジェクト表示部、２−３…入力部、２−４…送受信部、２−５…記憶装置。
【図１】
0005441195.tif 000002
【図２】
0005441195.tif 000003
【図３】
0005441195.tif 000004
【図４Ａ】
0005441195.tif 000005
【図４Ｂ】
0005441195.tif 000006
【図４Ｃ】
0005441195.tif 000007
【図４Ｄ】
0005441195.tif 000008
【図４Ｅ】
0005441195.tif 000009
【図４Ｆ】
0005441195.tif 000010
【図５】
0005441195.tif 000011
【図６】
0005441195.tif 000012
【図７Ａ】
0005441195.tif 000013
【図７Ｂ】
0005441195.tif 000014
【図８】
0005441195.tif 000015
【図９】
0005441195.tif 000016
【図１０】
0005441195.tif 000017
【図１１】
0005441195.tif 000018
【図１２Ａ】
0005441195.tif 000019
【図１２Ｂ】
0005441195.tif 000020
【図１３】
0005441195.tif 000021
【図１４】
0005441195.tif 000022
【図１５】
0005441195.tif 000023
【図１６】
0005441195.tif 000024
【図１７】
0005441195.tif 000025
【図１８】
0005441195.tif 000026
【図１９】
0005441195.tif 000027
【図２０】
0005441195.tif 000028